(57)【要約】【課題】より精度よく記録速度に応じた最適記録パワーを求めることが可能な光ディスク装置を提供する。【解決手段】光ディスク１０の半径位置に応じて異なる記録速度でデータを記録する光ディスク装置であって、制御部２４は、光ディスクの内周側テスト記録エリアで試し書きすることにより該テスト記録エリアの記録速度での第１最適記録パワーを設定し、特定光ディスク装置における、特定光ディスクの内周側テスト記録エリアの記録速度における最適記録パワーと外周側データ記録エリアの記録速度における最適記録パワーとの関係を規定する相関係数を用いて、第１最適記録パワーから光ディスク１０のデータ記録エリアの記録速度における最適記録パワーを演算する。【選択図】図１
2007323764.tif 000002
【特許請求の範囲】
【請求項１】
光ディスクに設けられたデータ記録エリアに、記録速度に応じた最適記録パワーのレーザ光を照射することでデータ記録を行う光ディスク装置において、
特定光ディスク装置が、光ディスクに設けられたデータ記録エリアより内周側の内周テスト記録エリアに第１記録速度で試し記録を行うことにより求められた第１記録速度に対する第１最適記録パワーと、前記特定光ディスク装置が、前記データ記録エリアに前記第１記録速度とは異なる第２記録速度で試し記録を行うことにより求められた第２記録速度に対する第２最適記録パワーとに基づき定められた係数を記憶するメモリと、
光ディスクに設けられた内周テスト記録エリアに前記第１記録速度で試し記録を行うことにより前記第１記録速度に対する第３最適記録パワーを求め、前記メモリに記録された係数と前記第３最適記録パワーとに基づき、前記データ記録エリアにおける前記第２記録速度に対する第４最適記録パワーを求める最適記録パワー決定部と、
を備える光ディスク装置。
【請求項２】
請求項１に記載の光ディスク装置において、
前記光ディスクのデータ記録エリアに前記第２記録速度で試し記録を行うことにより前記第２記録速度に対する第５最適記録パワーを求め、前記第４最適記録パワーと前記第５最適記録パワーとに基づき、前記係数を補正するための補正値を求め、前記係数に対応付けて前記補正値を前記メモリに登録する補正値登録部を備え、
前記最適記録パワー決定部は、
前記補正値に基づき前記係数を補正し、補正された係数と前記第３最適記録パワーとに基づき前記第４最適記録パワーを求めることを特徴とする光ディスク装置。
【請求項３】
請求項２に記載の光ディスク装置において、
前記補正値登録部は、
前記第４最適記録パワーと前記第５最適記録パワーとの類似度が所定の基準値より低い場合に、前記補正値を求めて前記メモリに登録することを特徴とする光ディスク装置。
【請求項４】
光ディスクの半径位置に応じて異なる記録速度でデータを記録する光ディスク装置であって、
光ディスクの内周側テスト記録エリアで試し書きすることにより該テスト記録エリアの記録速度での第１最適記録パワーを設定する手段と、
特定光ディスク装置における、特定光ディスクの内周側テスト記録エリアの記録速度における最適記録パワーと外周側データ記録エリアの記録速度における最適記録パワーとの関係を規定する相関係数を用いて、前記第１最適記録パワーから前記光ディスクのデータ記録エリアの記録速度における最適記録パワーを演算する手段と、
を有することを特徴とする光ディスク装置。
【請求項５】
請求項４記載の装置において、
前記相関係数は、前記内周側テスト記録エリアの記録速度における最適記録パワーに対する前記外周側データ記録エリアの記録速度における最適記録パワーの比であることを特徴とする光ディスク装置。
【請求項６】
請求項４記載の装置において、さらに、
前記光ディスクのデータ記録エリアで試し書きすることにより前記特定光ディスク装置における前記相関係数を増減調整する手段と、
を有することを特徴とする光ディスク装置。
【発明の詳細な説明】
【技術分野】
【０００１】
本発明は、光ディスクに情報を記録・再生する光ディスク装置において記録用光ディスクの記録用レーザパワーの制御処理の技術に関する。
【背景技術】
【０００２】
従来より、ＤＶＤ−Ｒなどの記録可能な光ディスク装置ではＯＰＣ（Optimum Power Control）と称される最適記録パワーを求める処理が実行される。最適記録パワーを求める方法として、ＰＣＡまたはＤＲＩＶＥ  ＴＥＳＴ  ＺＯＮＥと呼ばれる、実データが書き込まれるデータ記録エリアよりディスク内周側に形成されるテスト記録エリア（以下、内周テスト記録エリアと称す）において、所定のデータを書き込む試し記録を行うことにより最適記録パワーを求める方法が知られている。例えば、Ｚｏｎｅ−ＣＬＶ方式やＣＡＶ方式のようにディスク外周に向かって記録速度を早めて記録を行う場合には、各々の記録速度に応じて最適記録パワーを求める必要がある。そこで、例えば、内周テスト記録エリアにおいてＯＰＣを実行することで求められた最適記録パワーに、所定の係数を掛けて、ＯＰＣを実行しないゾーンでの最適記録パワーを求める方法が知られている。
【０００３】
特許文献１には、２つの記録速度でＯＰＣを実施し、記録速度の変化に対して、最適記録パワーの変化量の関係を取得し、所定の係数に対して求まった記録パワーに対して、前述の変化量の関係を利用して、補正を加えることにより、温度環境やディスクのばらつきの影響を回避し、ＯＰＣを実行しないゾーンでの最適記録パワーのズレを補正する方法が開示されている。
【０００４】
しかし、内周側の記録速度と外周側の記録速度との差が大きくなるにつれて、所定の係数の値は大きくなる。よって、例えば内周テスト記録エリアから求められた最適記録パワーの誤差が大きいと、所定の係数に基づいて求められる外周側の最適記録パワーの誤差も大きくなる。また、光ピックアップ（ＯＰＵ）のレーザダイオード波長やディスク面に対する光軸の傾角がディスク装置ごとに異なると、ディスク装置間で所定の係数の互換性が得られない場合がある。
【０００５】
そこで、内周テスト記録エリアから求められた最適記録パワーより間接的に外周側のデータ記録エリアに対する最適記録パワーを求めるのではなく、データ記録エリアより外周側に形成された外周テスト記録エリアにおいて所定のデータを書き込む試し記録を行い、外周側の最適記録パワーを求める方法も考えられる。この方法では、データ記録エリアより外周側に形成されたテスト記録エリアから外周側の最適記録パワーを求めるため、外周側の実際の記録速度に近い速度で試し記録を行うことができる。よって、外周側の最適記録パワーを精度よく求められることが予想される。しかしながら、一般的に、市販されているディスクの場合、外周テスト記録エリアはディスクの最外周エリアに形成されており、最外周エリアにおけるチルトや面振れ、偏重心、偏心などの機械特性は良好でなく、色素むらなどもあるため、外周テスト記録エリアから求められる最適記録パワーの精度は期待できない場合が多い。また、実際のデータ記録を開始する前にその都度、内周テスト記録エリアおよび外周テスト記録エリアにおいて個別に試し記録を行い最適記録パワーを求める場合、最適記録パワーを求めるまでに比較的多くの時間を要し、実際の記録を開始するまでの時間が長くなってしまう。
【０００６】
【特許文献１】特開２００５−３１７０６４号公報
【発明の開示】
【発明が解決しようとする課題】
【０００７】
本発明は、より精度よく記録速度に応じた最適記録パワーを求めることが可能な光ディスク装置を提供することを目的とする。
【課題を解決するための手段】
【０００８】
本発明に係る光ディスク装置は、光ディスクに設けられたデータ記録エリアに、記録速度に応じた最適記録パワーのレーザ光を照射することでデータ記録を行う光ディスク装置において、特定光ディスク装置が、光ディスクに設けられたデータ記録エリアより内周側の内周テスト記録エリアに第１記録速度で試し記録を行うことにより求められた第１記録速度に対する第１最適記録パワーと、前記特定光ディスク装置が、前記データ記録エリアに前記第１記録速度とは異なる第２記録速度で試し記録を行うことにより求められた第２記録速度に対する第２最適記録パワーとに基づき定められた係数を記憶するメモリと、光ディスクに設けられた内周テスト記録エリアに前記第１記録速度で試し記録を行うことにより前記第１記録速度に対する第３最適記録パワーを求め、前記メモリに記録された係数と前記第３最適記録パワーとに基づき、前記データ記録エリアにおける前記第２記録速度に対する第４最適記録パワーを求める最適記録パワー決定部と、を備えることを特徴とする。
【０００９】
本発明に係る光ディスク装置の１つの態様では、前記光ディスクのデータ記録エリアに前記第２記録速度で試し記録を行うことにより前記第２記録速度に対する第５最適記録パワーを求め、前記第４最適記録パワーと前記第５最適記録パワーとに基づき、前記係数を補正するための補正値を求め、前記係数に対応付けて前記補正値を前記メモリに登録する補正値登録部を備え、前記最適記録パワー決定部は、前記補正値に基づき前記係数を補正し、補正された係数と前記第３最適記録パワーとに基づき前記第４最適記録パワーを求めることを特徴とする。
【００１０】
本発明に係る光ディスク装置の１つの態様では、前記補正値登録部は、前記第４最適記録パワーと前記第５最適記録パワーとの類似度が所定の基準値より低い場合に、前記補正値を求めて前記メモリに登録することを特徴とする。
【００１１】
本発明に係る光ディスク装置は、光ディスクの半径位置に応じて異なる記録速度でデータを記録する光ディスク装置であって、光ディスクの内周側テスト記録エリアで試し書きすることにより該テスト記録エリアの記録速度での第１最適記録パワーを設定する手段と、特定光ディスク装置における、特定光ディスクの内周側テスト記録エリアの記録速度における最適記録パワーと外周側データ記録エリアの記録速度における最適記録パワーとの関係を規定する相関係数を用いて、前記第１最適記録パワーから前記光ディスクのデータ記録エリアの記録速度における最適記録パワーを演算する手段と、を有することを特徴とする。
【００１２】
本発明に係る光ディスク装置の１つの態様では、前記相関係数は、前記内周側テスト記録エリアの記録速度における最適記録パワーに対する前記外周側データ記録エリアの記録速度における最適記録パワーの比であることを特徴とする。
【００１３】
本発明に係る光ディスク装置の１つの態様では、前記光ディスクのデータ記録エリアで試し書きすることにより前記特定光ディスク装置における前記相関係数を増減調整する手段と、を有することを特徴とする。
【発明の効果】
【００１４】
本発明によれば、より精度よく記録速度に応じた最適記録パワーを求めることが可能な光ディスク装置を提供することができる。
【発明を実施するための最良の形態】
【００１５】
本発明を実施するための最良の形態（以下、実施形態と称す）について、以下図面を用いて説明する。
【００１６】
図１には、本実施形態に係る光ディスク装置の要部構成ブロック図が示されている。光ディスク１０は、スピンドルモータ１２によりＣＡＶ方式あるいはＺｏｎｅ−ＣＬＶ方式で制御される。
【００１７】
光ピックアップ部１４は光ディスク１０に対向して設けられ、レーザダイオード（ＬＤ）から記録パワーのレーザ光を射出して光ディスク１０にデータを記録する。データの記録は、光ディスク１０の記録膜の一部を溶融昇華してピットを形成してもよく、結晶状態を加熱急冷してアモルファス状態に遷移させることで行ってもよい。
【００１８】
データ記録時には、記録データがエンコーダ１８に供給され、エンコーダ１８にてエンコードされたデータがＬＤ駆動部１６に供給される。ＬＤ駆動部１６は、エンコードされたデータに基づき駆動信号を作成し、光ピックアップ部１４のＬＤに供給する。また、ＬＤ駆動部１６には、制御部２４からの制御信号が供給され、この制御信号により記録ストラテジ並びに記録パワーが決定される。
【００１９】
一方、データ再生時には、光ピックアップ部１４は、ＬＤから再生パワー（再生パワー＜記録パワー）のレーザ光を照射し、その反射光を受光して電気信号に変換し再生ＲＦ信号を得る。再生ＲＦ信号は再生ＲＦ信号処理部２０に供給される。
【００２０】
ＲＦ信号処理部２０は、増幅アンプやイコライザ、二値化部、ＰＬＬ部などを有し、再生ＲＦ信号を二値化し、さらに同期クロックを生成してデコーダ２２に供給する。デコーダ２２は、供給されたこれらの信号に基づきデータをデコードし、再生データとして出力する。
【００２１】
また、ＲＦ信号処理部２０からの再生ＲＦ信号は、信号品質評価用に制御部２４にも供給される。なお、データ再生時には、この他にトラッキングエラー信号やフォーカスエラー信号を生成してフォーカスサーボあるいはトラッキングサーボを制御する回路、光ディスク１０に形成されたウォブル信号を再生してアドレス復調あるいは回転数制御に用いる回路もあるが、これらについては従来技術と同様であるのでその説明は省略する。
【００２２】
制御部２４は、実際のデータ記録に先立ってＬＤ駆動部１６を駆動して記録速度に応じた記録パワーの最適化（ＯＰＣ）を実行する。ＯＰＣは、例えば記録パワーを１５フレームにおいて１５段階に変化させて所定のエリアにテストデータを記録し、各テストデータを再生してそのβ値を検出することで行われる。記録パワーごとのβ値を算出した後、制御部２４は記録パワーの関数としてβ値を順次記録し、予め定められた基準β値が得られる記録パワーを最適記録パワーとして選択する。
【００２３】
ここで、制御部２４は、Ｚｏｎｅ−ＣＬＶ方式やＣＡＶ方式のようにディスク外周に向かって記録速度を早めてデータ記録を行う場合、内周テスト記録エリアにおいて、比較的低速の内周記録速度に対する内周最適記録パワーを求めた後、内周記録速度より高速な外周記録速度に対する外周最適記録パワーを内周最適記録パワーに対して所定の係数に基づく演算を行うことで間接的に求めるが、本実施形態では、この所定の係数に対して光ディスク装置ごとに定めた補正値を用いて補正を行い、内周最適記録パワーに対して補正済みの係数に基づく演算を行うことで外周最適記録パワーを求める。
【００２４】
以下、補正値の求め方について順を追って説明する。
【００２５】
まず、光ディスク装置の製造時にデータ記録やデータ再生などの機能の精度が保証された特定の光ディスク装置（以下、基準ドライブと称す）において、図２に示すフローチャートに基づく処理を実行する。
【００２６】
図２において、基準ドライブの制御部２４は、光ディスク１０の最内周に設けられた内周テスト記録エリアにおいて内周記録速度でＯＰＣを実行し、基準ドライブにおける内周最適記録パワーＰｂｉを求める（Ｓ１００）。なお、ここで用いられる光ディスク１０は、複数メーカーの複数の機種において安定的な記録品質が予め保証されている特定ディスク、例えば、光ディスク装置の性能検査等を行う際に用いられる業界標準のいわゆる標準ディスクであることが好ましい。次いで、実データが記録される所定のデータ記録エリア（例えばデータ記録エリアを複数のゾーンに区切る場合、最外周のゾーンに対応するデータ記録エリア）において、内周記録速度より高倍速である外周記録速度でＯＰＣを実行し、基準ドライブにおける外周最適記録パワーＰｂｏを求める（Ｓ１０２）。次いで、制御部２４は、外周最適記録パワーＰｂｏを内周最適記録パワーＰｂｉで除算することで、外周記録速度の基準比率係数Ｋｂｏを求める（Ｓ１０４）。つまり、制御部２４は、Ｋｂｏ＝Ｐｂｏ／Ｐｂｉという式に基づいてＫｂｏを求める。
【００２７】
本実施形態では、上記のように求めた基準比率係数Ｋｂｏをファームウェアとして管理し、製造される各光ディスク装置のメモリ（例えばＥＥＰＲＯＭ）２６に予め登録しておく。
【００２８】
続いて、基準ドライブ以外のドライブ（以下、対象ドライブと称す）である光ディスク装置に対する外周記録速度の補正値ρｏの求め方について、図３に示すフローチャートを用いて説明する。
【００２９】
図３において、対象ドライブの制御部２４は、光ディスク１０の最内周のテスト記録エリアにおいて内周記録速度のＯＰＣを実行し、対象ドライブにおける内周最適記録パワーＰｔｉを求める（Ｓ２００）。次いで、制御部２４はメモリ２６に登録された外周記録速度の基準比率係数Ｋｂｏを読み出し、内周最適記録パワーＰｔｉに基準比率係数Ｋｂｏを乗算することで、対象ドライブにおける外周記録速度に対する第１の最適記録パワーＰｔｏ１を求める（Ｓ２０２）。つまり、制御部２４は、Ｐｔｏ１＝Ｋｂｏ×Ｐｔｉという式に基づいて第１の最適記録パワーＰｔｏ１を求める。これにより、対象ドライブにおける外周記録速度に対する最適記録パワーを求めることができる。しかし、ここで求めた第１の最適記録パワーＰｔｏ１により外周記録速度でのデータ記録を行うと、光ディスク装置によっては、光ピックアップ部１４のレーザダイオード波長やディスク面に対する光軸の傾角などの違いにより、基準ドライブとの環境が異なってしまい、基準比率係数Ｋｂｏの互換性が得られておらず、実際にはβ値が基準β値を満足しない場合がある。
【００３０】
そこで、本実施形態では、制御部２４は、さらに、所定のデータ記録エリア（例えばデータ記録エリアを複数のゾーンに区切る場合、最外周に位置するゾーンに対応するデータ記録エリア）において、外周記録速度でのＯＰＣを実行し、対象ドライブにおける外周記録速度に対する第２の最適記録パワーＰｔｏ２を求め（Ｓ２０４）、第２の最適記録パワーＰｔｏ２を第１の最適記録パワーＰｔｏ１で除算することで、対象ドライブにおける外周記録速度の補正値ρｏを求める（Ｓ２０６）。つまり、制御部２４は、ρｏ＝Ｐｔｏ２／Ｐｔｏ１という式に基づいて補正値ρｏを求め、補正値ρｏを基準比率係数Ｋｂｏと対応付けてメモリ２６に登録する（Ｓ２０８）。なお、ステップＳ２０４におけるＯＰＣでは、例えば、所定のデータ記録エリアにおいて、すでに求められている第１の最適記録パワーＰｔｏ１を中心として記録パワーを複数段階切り換えて、それぞれβ値を測定し、各記録パワーと各β値とに基づいて最小自乗法等の周知の近似アルゴリズムにより近似直線等の記録パワーとβ値との関係を示す関数を求め、その関数に基づいて目標β値に対応する記録パワーを求めることで、第２の最適記録パワーＰｔｏ２を求める処理を実行する。
【００３１】
このように、本実施形態では、光ディスク装置は、例えば出荷調整時に補正値ρｏを求めメモリ２６に登録しおき、基準比率係数Ｋｂｏに対して補正値ρｏを用いて補正を行った後に、外周記録速度の最適記録パワーを求める。
【００３２】
図４は、本実施形態に係る光ディスク装置が外周記録速度の最適記録パワーＰｏを求める手順を示すフローチャートである。
【００３３】
図４において、制御部２４は、ユーザからデータ記録要求を受けると、データ記録に先立って、光ディスク１０の最内周に設けられたテスト記録エリアにおいて内周記録速度のＯＰＣを実行し、内周記録速度の最適記録パワーＰｉを求める（Ｓ３００）。次いで、制御部２４は、メモリ２６から外周記録速度に対応する基準比率係数Ｋｂｏと補正値ρｏとを読み出し、内周記録速度の最適記録パワーＰｉに基準比率係数Ｋｂｏと補正値ρｏとを乗算することで、外周記録速度の最適記録パワーＰｏを求める。つまり、制御部２４は、Ｐｏ＝Ｋｂｏ×ρｏ×Ｐｉという式に基づいてＰｏを求める。このように、光ディスク装置ごとに固有の値として定められる補正値ρｏを用いて基準比率係数Ｋｂｏを補正した後に、最適記録パワーＰｏを求めることで、例えば光ピックアップ部１４のレーザダイオード波長やディスク面に対する光軸の傾角がディスク装置ごとに異なることによる誤差の影響を少なくし、光ディスク装置ごとにより精度よくディスク外周部における高速な記録速度に対する最適記録パワーを求めることができる。
【００３４】
また、内周テスト記録エリアにおけるＯＰＣにより求められた最適記録パワーに基づいて外周部における高速な記録速度に対する最適記録パワーを求めることができるため、ＯＰＣの実行回数を抑制することができ、実際のデータ記録を開始するまでの時間を短縮することができる。
【００３５】
さらに、本実施形態によれば、基準ドライブにて例えば１種類のＤＶＤ−Ｒに対する基準比率係数Ｋｂを予め求めておけば、レーザ光に対する記録感度が異なる他の色素より構成される他種類のＤＶＤ−Ｒについても同様な手順で補正値ρを求めて基準比率係数Ｋｂを補正することができるため、他種類のＤＶＤ−Ｒについても精度よく外周部における高速な記録速度に対する最適記録パワーを求めることができる。
【００３６】
また、基準比率係数Ｋｂを求めた際の外周記録速度とは異なる記録速度の最適記録パワーを周知の近似アルゴリズムを利用することで求める場合にも、補正値ρにより基準比率係数Ｋｂを補正しておけば、求められる最適記録パワーの精度を向上させることができる。
【００３７】
さらに、記録速度と記録パワーとの比が理論値の曲線に概ね近似することを前提とすれば、ＤＶＤ−Ｒで調整した光ディスク装置固有の補正値ρを、他の記録媒体（ＤＶＤ＋Ｒ、ＤＶＤ−ＲＷ、ＤＶＤ＋ＲＷなど）についても併用することが可能である。
【００３８】
なお、上記では、１つの外周記録速度に対する最適記録パワーＰｏを求める例について説明した。しかし、例えば、Ｚｏｎｅ−ＣＬＶ方式のように、ゾーンごとに異なる記録速度が設定されている場合には、設定される記録速度ごとにそれぞれ基準比率係数Ｋｂおよび補正値ρを求めて、メモリ２６に登録しておき、記録速度ごとに基準比率係数Ｋｂおよび補正値ρを用いて、最適記録パワーＰを求めてもよい。また、設定されるすべての記録速度に対応して基準比率係数Ｋｂおよび補正値ρを求めるのではなく、いくつかの記録速度に対応する基準比率係数Ｋｂおよび補正値ρを求めておき、残りの記録速度については、最小二乗法などの周知の近似アルゴリズムに基づいて求めてもよい。
【００３９】
また、第１の最適記録パワーＰｔｏ１と第２の最適記録パワーＰｔｏ２とが類似する場合には、敢えて補正値ρを求めて基準比率係数Ｋｂを補正しなくても、精度よく最適記録パワーを求めることができる。よって、制御部２４は、補正値ρを求める前に、第１の最適記録パワーＰｔｏ１と第２の最適記録パワーＰｔｏ２との類似度を求めて、その類似度が基準値を満たしていれば補正値ρを求めず、その類似度が基準値より低い場合のみ補正値ρを求めてもよい。例えば、制御部２４は、補正値ρを求める前に、第１の最適記録パワーＰｔｏ１と第２の最適記録パワーＰｔｏ２との差を求めて、その差が予め定めた閾値を越えている場合のみ、補正値ρを求めてもよい。
【図面の簡単な説明】
【００４０】
【図１】本実施形態に係る光ディスク装置の要部構成ブロック図である。
【図２】基準ドライブが基準比率係数Ｋｂｏを求める手順を示すフローチャートである。
【図３】光ディスク装置が補正値ρを求める手順を示すフローチャートである。
【図４】光ディスク装置が補正値ρに基づいて基準比率係数Ｋｂｏを補正する手順を示すフローチャートである。
【符号の説明】
【００４１】
１０  光ディスク、１２  スピンドルモータ、１４  光ピックアップ部、１６  ＬＤ駆動部、１８  エンコーダ、２０  ＲＦ信号処理部、２２  デコーダ、２４  制御部、２６  メモリ。
【図１】
2007323764.tif 000003
【図２】
2007323764.tif 000004
【図３】
2007323764.tif 000005
【図４】
2007323764.tif 000006